(57)【要約】      （修正有）【課題】ベッドフレームの長さまでの収納物の収納が可能で、ベッドフレームの意匠性が損なわれることなく、既存のベッドへの展開が可能な収納かごを備えたベッドを提供する。【解決手段】ベッドは、ヘッドボード、フットボード、サイドボード２３を連結固定して構成されるベッドフレームと、サイドボード２３に設けた受桟２４に載置される床板１０と、床板１０と受桟２４とで挟持され、ベッドフレームと床板１０とで形成される収納空間１１に配置される収納かご３０と、から構成される。【選択図】図２
2012000152.tif 000002
【特許請求の範囲】
【請求項１】
ヘッドボードと、フットボード、サイドボードを連結固定して構成されるベッドフレームと、
前記サイドボードに設けた受桟に載置される床板と、
前記床板と前記受桟とで挟持され、前記ベッドフレームと前記床板とで形成される収納空間に配置される収納体と、
を備えるベッド。
【請求項２】
前記収納体は、前記床板と前記受桟とに挟持される枠体と、前記枠体に設けられ収納物を載置する底体と、から構成されることを特徴とする請求項１に記載のベッド。
【請求項３】
前記枠体は、前記ベッドフレームの幅方向に伸縮可能であることを特徴とする請求項１又は請求項２のいずれかに記載のベッド。
【請求項４】
前記枠体は、前記ベッドフレームの高さ方向に伸縮可能であることを特徴とする請求項１乃至３のいずれか一項に記載のベッド。
【発明の詳細な説明】
【技術分野】
【０００１】
本発明は、ベッドフレームと床板とで形成される収納空間に収納物を収納するベッドに関する。
【背景技術】
【０００２】
従来技術として、ベッドフレームの幅方向の一側面が開口し内部を収容部とした箱状体を有しこの箱状体の上面にマットレスが載置されるベッド本体と、収容部の内面に幅方向に沿って設けられた第１のガイド部材と、幅方向両側に第１のガイド部材に移動可能に係合する第２のガイド部材を有し、箱状体に出し入れ可能に設けられた搬送体と、この搬送体の前端に設けられ搬送体を箱状体に収容したときにその一側面の開口を閉塞する前板と、搬送体に載置されこの搬送体とともに箱状体から引き出される収納ケースとを具備し、ベッド本体を構成する箱状体に収容された収納ケースを円滑に引き出すことができるようにしたものが知られている（例えば、特許文献１参照。）。
【先行技術文献】
【特許文献】
【０００３】
【特許文献１】特開２００５−１８５８０９号公報
【発明の概要】
【発明が解決しようとする課題】
【０００４】
しかしながら特許文献１のベッドでは、ベッドフレームの強度を確保する必要から仕切り板を設け、収納ケースはベッドフレームの長さ方向に分割して構成される。そのためベッドフレームの長さ方向の収納スペースは限られ、収納物の長さが制約を受ける問題がある。またベッドフレームの一側面の前板は分割されるため意匠性が損なわれる問題がある。また、箱状体を設けるためにはあらかじめベッド本体に収納ケースを引き出すための構成が必要であり、収納ケースを引き出すための構成を備えていない既存のベッドへの展開は困難である。
【０００５】
本発明は上記問題点に鑑みて成されたものであり、ベッドフレームの長さまでの収納物の収納が可能で、ベッドフレームの意匠性が損なわれることなく、既存のベッドへの展開ができ、収納かごを備えたベッドを提供することを目的とする。
【課題を解決するための手段】
【０００６】
本発明の第１の課題解決手段は、ヘッドボードと、フットボード、サイドボードを連結固定して構成されるベッドフレームと、前記サイドボードに設けた受桟に載置される床板と、前記床板と前記受桟とで挟持され、前記ベッドフレームと前記床板とで形成される収納空間に配置される収納体と、から構成される。
【０００７】
この場合、前記収納体は、前記床板と前記受桟とに挟持される枠体と、前記枠体に設けられ収納物を載置する底体と、から構成されることが好ましい。
【０００８】
また、前記枠体は、前記ベッドフレームの幅方向に伸縮可能な構成であることが好ましい。
【０００９】
また、前記枠体は、前記ベッドフレームの高さ方向に伸縮可能な構成であることが好ましい。
【発明の効果】
【００１０】
本発明のベッドでは、ベッドフレームと床板とで形成される収納空間に床板と受桟とで挟持される収納体を設けることで、ベッドフレームに収納体を収納するための構造、形状、加工が必要なく、最大ベッドフレームの長さまでの収納物を収納することが可能である。また、収納体は、ベッドフレームと床板とで形成される収納空間に設けられるため、ベッドフレームの意匠性が損なわれることがない。また、収納体は、収納空間に床板と受桟とで挟持される構造のため、既存のベッドへの展開が可能である。
【００１１】
また、収納体は、床板と受桟とに挟持される枠体に底体が設けられる構造のため、底体は、最大ベッドフレームの長さまでの収納物を載置することができる。
【００１２】
また、枠体は、ベッドフレームの幅方向に伸縮可能な構成のため、ベッドフレームの幅の異なるベッドごとに枠体を専用設計することなく、ベッドフレームの幅の異なるベッドへの展開が可能である。
【００１３】
また、枠体は、ベッドフレームの高さ方向に伸縮可能な構成であるため、収納物の高さに応じて収納体の高さを変更可能で、最大床板と床面までの高さの収納物を収納体に収納できる。
【図面の簡単な説明】
【００１４】
【図１】本発明のベッドの平面図である。
【図２】本発明のベッドのＡ−Ａ断面図である。
【図３】引出しボックスを備えるベッドに収納かごを設置した状態を示す断面図である。
【発明を実施するための形態】
【００１５】
以下に本発明の実施の形態を図面に基づいて詳細に説明する。
【００１６】
図１は、本発明のベッド１の平面図である。内部の構成を説明するため、床板１０を取り外した状態である。ベッド１は、床板１０と、ベッドフレーム２０と、床板１０とベッドフレーム２０とで形成される収納空間１１に配置される収納かご３０（収納体）と、から構成される。ベッドフレーム２０は、ヘッドボード２１と、フットボード２２、左右のサイドボード２３を連結固定した構成である。左右のサイドボード２３の内側の側面には、受桟２４が設けられ、床板１０は受桟２４に載置される。
【００１７】
収納かご３０は、枠体３１と、枠体３１に設けられ図示しない収納物を載置する底網３２（底体）と、から構成される。枠体３１の底網３２が設けられる箇所には、ベッドフレーム２０の幅方向の長さを伸縮可能に調整する幅調整穴３４と、ベッドフレーム２０の幅方向の長さを所定位置に固定する幅固定ボルト３５とが設けられる。底網３２は、鋼線をネット状に構成したものである。底網３２は、収納物を載置できる構成であればよく、例えば布テープ、ゴムひも、木製すのこでもよい。
【００１８】
図２は、本発明のベッド１のＡ−Ａ断面図である。枠体３１の両端のフランジ部３３は、床板１０と受桟２４とで挟持される構成である。枠体３１には、ベッドフレームの高さ方向の長さを伸縮可能に調整する高さ調整穴３６と、ベッドフレームの高さ方向の長さを所定位置に固定する高さ固定ボルト３７とが設けられる。
【００１９】
本発明の収納かご３０をベッドフレーム２０に取り付ける手順について説明する。まず、床板１０を取り外した状態で、枠体３１の幅方向の長さをフランジ部３３が受桟２４に載置されるように幅調整穴３４に幅固定ボルト３５を貫通して調整する。次に、収納物が床板１０と底網３２との間の高さに収まるように、枠体３１の高さ調整穴３６に高さ固定ボルト３７を貫通して調整する。収納かご３０の幅方向、高さ方向の調整が終わったら、枠体３１のフランジ部３３を受桟２４に載置し、隣り合う枠体３１に底網３２を設ける。底網３２が設けられたら収納物を底網に載置して床板１０を受桟２４に載置する。
【００２０】
本発明のベッド１では、ベッドフレーム２０と床板１０とで形成される収納空間１１に床板１０と受桟２４とで挟持される収納かご３０を設けることで、ベッドフレーム２０に収納かご３０を収納するための構造、形状、加工が必要なく、収納かご３０は、最大ベッドフレームの長さ（ヘッドボード２１からフットボード２２までの長さ）までの収納物を収納することができる。また、収納かご３０は、ベッドフレーム２０と床板１０とで形成される収納空間１１に設けられるため、ベッドフレーム２０の意匠性が損なわれることがない。また、収納かご３０は、収納空間１１に床板１０と受桟２４とで挟持される構造であるため、既存のベッドへの展開が可能である。
【００２１】
また、収納かご３０は、床板１０と受桟２４とに挟持される枠体３１に底網３２が設けられる構造のため、底網３２は、最大ベッドフレーム２０の長さ（ヘッドボード２１からフットボード２２までの長さ）までの収納物を載置することができる。
【００２２】
また、枠体３１は、ベッドフレーム２０の幅方向に伸縮可能な構成のため、ベッドフレーム２０の幅の異なるベッドごとに枠体３１を専用設計する必要がなく、ベッドフレーム２０の幅の異なるベッドへの展開が可能である。
【００２３】
また、枠体３１は、ベッドフレーム２０の高さ方向に伸縮可能な構成であるため、収納物の高さに応じて収納かご３０の高さを変更可能で、最大床板１０と床面までの高さの収納物を収納かご３０に収納できる。
【００２４】
図３は、引出しボックス４０を備えるベッド１ａに収納かご３０を設置した状態を示す断面図である。図２のベッド１との違いは引出しボックス４０を備えることであり、その他の構成については同一である。
【００２５】
本発明の収納かご３０をベッド１ａのベッドフレーム２０ａに取り付ける手順について説明する。床板１０ａを取り外した状態で、枠体３１の幅方向の長さをフランジ部３３が受桟２４ａに載置されるように幅調整穴３４に幅固定ボルト３５を貫通して調整する。次に、収納物が床板１０ａと底網３２ａとの間の高さに収まるように、枠体３１の高さを調整穴３６に高さ固定ボルト３７を貫通して調整する。収納かご３０の幅方向、高さ方向の調整が終わったら、枠体３１のフランジ部３３を受桟２４ａに載置して、隣り合う枠体３１に底網３２ａを設ける。底網３２ａが設けられたら収納物を底網３２ａに載置して床板１０ａを受桟２４ａに載置する。
【００２６】
ベッド１ａでは、枠体３１のベッドフレーム２０ａの幅方向の長さは、ベッド１のほぼ半分であるが、枠体３１の幅方向の長さを幅調整穴３４と、幅固定ボルト３５とにより調整することで、ベッドフレーム２０ａの幅方向の長さが異なる底網３２ａのみ変更することで対応できる。
【符号の説明】
【００２７】
１  ベッド
１０  床板
１１  収納空間
２０  ベッドフレーム
２１  ヘッドボード
２２  フットボード
２３  サイドボード
２４  受桟
３０  収納かご（収納体）
３１  枠体
３２  底網（底体）
【図１】
2012000152.tif 000003
【図２】
2012000152.tif 000004
【図３】
2012000152.tif 000005